(57)【要約】【課題】ユーザ操作によるチャンネル切り換え時に、そのチャンネル切り換えを見かけ上シームレスに行うことによって、ユーザによるチャンネル切り換えのタイムラグの体感速度を短くし、ユーザの不快感を低減する。【解決手段】制御部７は、リモコン１８により受信するチャンネルがアナログチャンネルからデジタルチャンネルに切り換えられたとき、切り換え前のアナログチューナ１で受信していたアナログチャンネルのテレビジョン信号を引き続きモニタ２０へ出力し、状態判別部６によりデジタルチューナ２によるデジタルチャンネルのテレビジョン信号の受信を確認すると、モニタ２０への出力経路をアナログチューナ１側からデジタルチューナ２側に切り換える。【選択図】図１
2008199232.tif 000002
【特許請求の範囲】
【請求項１】
アナログチューナとデジタルチューナを有するテレビジョン信号受信装置において、
受信するチャンネルをユーザ操作によって切り換える切換手段と、
前記切換手段により受信するチャンネルがアナログチャンネルからデジタルチャンネルに切り換えられたとき、切り換え後のデジタルチューナによる受信状態を判別する判別手段と、
前記切換手段により受信するチャンネルがアナログチャンネルからデジタルチャンネルに切り換えられると、表示部への出力経路を前記アナログチューナ側から前記デジタルチューナ側に切り換える切換制御手段とを備えており、
前記切換制御手段は、前記切換手段により受信するチャンネルがアナログチャンネルからデジタルチャンネルに切り換えられたとき、切り換え前のアナログチューナで受信していた前記アナログチャンネルのテレビジョン信号を引き続き前記表示部へ出力し、前記判別手段により前記デジタルチューナによる前記デジタルチャンネルのテレビジョン信号の受信を確認すると、前記表示部への出力経路を前記アナログチューナ側から前記デジタルチューナ側に切り換える処理と、前記表示部への出力経路を前記デジタルチューナに切り換えるまでの間、前記表示部に切り換え中を示す情報を表示する処理とを実行することを特徴とするテレビジョン信号受信装置。
【請求項２】
アナログチューナとデジタルチューナを有するテレビジョン信号受信装置において、
受信するチャンネルをユーザ操作によって切り換える切換手段と、
前記切換手段により受信するチャンネルがアナログチャンネルからデジタルチャンネルに切り換えられたとき、切り換え後のデジタルチューナによる受信状態を判別する判別手段と、
前記切換手段により受信するチャンネルがアナログチャンネルからデジタルチャンネルに切り換えられると、表示部への出力経路を前記アナログチャーナ側から前記デジタルチューナ側に切り換える切換制御手段とを備えており、
前記切換制御手段は、前記切換手段により受信するチャンネルがアナログチャンネルからデジタルチャンネルに切り換えられたとき、切り換え前のアナログチューナで受信していた前記アナログチャンネルのテレビジョン信号を引き続き前記表示部へ出力し、前記判別手段により前記デジタルチューナによる前記デジタルチャンネルのテレビジョン信号の受信を確認すると、前記表示部への出力経路を前記アナログチューナ側から前記デジタルチューナ側に切り換えることを特徴とするテレビジョン信号受信装置。
【請求項３】
アナログチューナとデジタルチューナを有するテレビジョン信号受信装置において、
受信するチャンネルをユーザ操作によって切り換える切換手段と、
前記切換手段により受信するチャンネルが一つのデジタルチャンネルから他のデジタルチャンネルに切り換えられたとき、前記デジタルチューナによる前記他のデジタルチャンネルの受信状態を判別する判別手段と、
前記切換手段により受信するチャンネルが一つのデジタルチャンネルから他のデジタルチャンネルに切り換えられると、そのチャンネル切り換え処理を行う切換制御手段とを備えており、
前記切換制御手段は、前記切換手段により受信するチャンネルが一つのデジタルチャンネルから他のデジタルチャンネルに切り換えられたとき、表示部への出力経路を前記アナログチューナ側に切り換えて、前記一つのデジタルチャンネルと同じ放送内容のアナログチャンネルを受信し、その受信しているアナログチャンネルのテレビジョン信号を前記表示部へ出力し、前記判別手段により前記他のデジタルチャンネルのテレビジョン信号の受信を確認すると、前記表示部への出力経路を前記アナログチューナ側から前記デジタルチューナ側に切り換えることを特徴とするテレビジョン信号受信装置。
【請求項４】
前記切換制御手段は、前記切換手段により受信するチャンネルが切り換えられたとき、前記表示部への出力経路を前記アナログチューナ側から前記デジタルチューナ側に切り換えるまでの間、前記表示部に切り換え中を示す情報を表示することを特徴とする請求項３に記載のテレビジョン信号受信装置。
【請求項５】
２台のデジタルチューナを有するテレビジョン信号受信装置において、
受信するチャンネルをユーザ操作によって切り換える切換手段と、
前記切換手段により受信するチューナが一つのデジタルチューナから他のデジタルチューナに切り換えられたとき、切り換え後のデジタルチューナによる受信状態を判別する判別手段と、
前記切換手段による受信チャンネルの切り換え操作に応じて、表示部への出力経路を一つのデジタルチューナ側から他のデジタルチューナ側に切り換える切換制御手段とを備えており、
前記切換制御手段は、前記切換手段により受信するチャンネルが一つの物理チャンネルの中のサブチャンネルから他の物理チャンネルの中のサブチャンネルに切り換えられたとき、切り換え前の一つのデジタルチューナで受信していたサブチャンネルのテレビジョン信号を引き続き前記表示部へ出力し、前記判別手段により他のデジタルチューナによる前記他の物理チャンネルの中のサブチャンネルのテレビジョン信号の受信を確認すると、前記表示部への出力経路を前記一つのデジタルチューナ側から前記他のデジタルチューナ側に切り換えることを特徴とするテレビジョン信号受信装置。
【請求項６】
前記切換制御手段は、前記切換手段により受信するチャンネルが切り換えられたとき、前記表示部への出力経路を前記一つのデジタルチューナ側から前記他のデジタルチューナ側に切り換えるまでの間、前記表示部に切り換え中を示す情報を表示することを特徴とする請求項５に記載のテレビジョン信号受信装置。
【発明の詳細な説明】
【技術分野】
【０００１】
本発明は、アナログチューナとデジタルチューナを有するテレビジョン信号受信装置に係り、より詳細には、チャンネル切り換え時の無信号状態による黒画面または青画面表示の期間を無くしたテレビジョン信号受信装置に関する。
【背景技術】
【０００２】
近年、アナログ放送からデジタル放送への移行が進んでおり、２０１１年には完全にデジタル放送に移行することになっている。そのため、最近のテレビジョン信号受信装置は、アナログチューナとデジタルチューナの両方を搭載しているものが多い。
【０００３】
この場合、アナログ放送からデジタル放送に切り換わるときに、チューニングに２秒程度の時間がかかるため、従来は、その切り換え時間の間、表示画面が黒画面や青画面になっていた。
【０００４】
また、このようなアナログ放送からデジタル放送への切り換えのみならず、デジタル放送の中の一つのデジタルチャンネルから他のデジタルチャンネルに切り換わるときも２秒程度の間、表示画面が黒画面や青画面になっていた。デジタル放送では、特に、一つの物理チャンネルの中のサブチャンネルから他の物理チャンネルの中のサブチャンネルに切り換わるときに、物理チャンネルのチューニングに時間がかかるため、この傾向が顕著となる。
【０００５】
そこで、アナログ放送とデジタル放送の切り換えをシームレスに行うように工夫された装置が提案されている（例えば、特許文献１参照）。この装置は、リモコンのボタンが押されると、デジタル放送が開始されていない場合にはアナログ放送のチャンネルを受信し、デジタル放送が放送されている場合にはデジタル放送のチャンネルを受信すべく切り換える機能部を備えることによって、中継局の放送電波がアナログ放送からデジタル放送に切り換わる場合に、シームレスな受信を可能とするものである。
【特許文献１】特開２００３−２１９３１２号公報
【発明の開示】
【発明が解決しようとする課題】
【０００６】
上記特許文献１に記載のものは、あくまで中継局の放送電波がアナログ放送からデジタル放送に切り換わる場合に、シームレスな受信を可能とするものであり、ユーザが視聴しているチャンネルを切り換えたときに、表示画面が２秒程度黒画面や青画面になることを解決するものではない。
【０００７】
そのため、アナログチューナとデジタルチューナを有する従来のテレビジョン信号受信装置では、アナログチャンネルからデジタルチャンネルに切り換わるとき、及びデジタルチャンネル同士でも一つの物理チャンネルのサブチャンネルから他の物理チャンネルのサブチャンネルに切り換わるときに、その切り換わりの間、表示画面に黒画面や青画面が表示されるため、チャンネルの切り換え速度が遅いといった印象を視聴者であるユーザに与えてしまい、これが原因でユーザが不快感を覚えるといった問題があった。
【０００８】
本発明はかかる問題点を解決すべく創案されたもので、その目的は、ユーザ操作によるチャンネルの切り換え時に、そのチャンネル切り換えを見かけ上シームレスに行うことによって、ユーザの不快感を低減したテレビジョン信号受信装置を提供することにある。
【課題を解決するための手段】
【０００９】
上記課題を解決するため、本発明のテレビジョン信号受信装置は、アナログチューナとデジタルチューナを有するテレビジョン信号受信装置において、受信するチャンネルをユーザ操作によって切り換える切換手段と、前記切換手段により受信するチャンネルがアナログチャンネルからデジタルチャンネルに切り換えられたとき、切り換え後のデジタルチューナによる受信状態を判別する判別手段と、前記切換手段により受信するチャンネルがアナログチャンネルからデジタルチャンネルに切り換えられると、表示部への出力経路を前記デジタルチューナ側に切り換える切換制御手段とを備えており、前記切換制御手段は、前記切換手段により受信するチャンネルがアナログチャンネルからデジタルチャンネルに切り換えられたとき、切り換え前のアナログチューナで受信していた前記アナログチャンネルのテレビジョン信号を引き続き前記表示部へ出力し、前記判別手段により前記デジタルチューナによる前記デジタルチャンネルのテレビジョン信号の受信を確認すると、前記表示部への出力経路を前記アナログチューナから前記デジタルチューナに切り換える処理を実行することを特徴としている。
【００１０】
すなわち、切換制御手段は、リモコン等の切換手段により受信するチャンネルがアナログチャンネルからデジタルチャンネルに切り換えられたとき、切り換え前のアナログチューナで受信していたアナログチャンネルのテレビジョン信号を引き続き表示部へ出力する。これにより、リモコン等によるチャンネル切り換え操作があっても、表示部には引き続きアナログチャンネルのテレビジョン信号が出力され、そのチャンネルの画面が表示されている。このとき、判別手段は、デジタルチューナによるデジタルチャンネルのテレビジョン信号の受信状態を確認する。この確認は、アナログ放送の場合と同様、ＲＦ信号やその中に含まれている同期信号の有無等によって判別することができる。
【００１１】
切換制御手段は、判別手段の判別結果に基づき、デジタルチューナによるデジタルチャンネルのテレビジョン信号の受信を確認すると、その時点で、表示部への出力経路を、アナログチューナからデジタルチューナに切り換える。これにより、リモコン切り換え前のアナログチャンネルからリモコン切り換え後のデジタルチャンネルにシームレスに切り換わることになる。従って、ユーザは、視聴画面がスムーズに切り換わることから、従来のような不快感を覚えることがない。
【００１２】
またこのとき、切換制御手段は、表示部への出力経路をデジタルチューナに切り換えるまでの間、当該表示部に切り換え中を示す情報をＯＳＤ表示する。これにより、ユーザは、実際にチャンネルが切り換わるまでに若干の時間がかかるものの、現在切り換え中であることを目視により認識できるので、切り換わるまで安心して視聴することが可能となる。
【００１３】
また、本発明のテレビジョン信号受信装置は、アナログチューナとデジタルチューナを有するテレビジョン信号受信装置において、受信するチャンネルをユーザ操作によって切り換える切換手段と、前記切換手段により受信するチャンネルが一つのデジタルチャンネルから他のデジタルチャンネルに切り換えられたとき、前記デジタルチューナによる前記他のデジタルチャンネルの受信状態を判別する判別手段と、前記切換手段により受信するチャンネルが一つのデジタルチャンネルから他のデジタルチャンネルに切り換えられると、そのチャンネル切り換え処理を行う切換制御手段とを備えており、前記切換制御手段は、前記切換手段により受信するチャンネルが一つのデジタルチャンネルから他のデジタルチャンネルに切り換えられたとき、表示部への出力経路を前記アナログチューナ側に切り換えて、前記一つのデジタルチャンネルと同じ放送内容のアナログチャンネルを受信し、その受信しているアナログチャンネルのテレビジョン信号を前記表示部へ出力し、前記判別手段により前記他のデジタルチャンネルのテレビジョン信号の受信を確認すると、前記表示部への出力経路を前記アナログチューナ側から前記デジタルチューナ側に切り換えることを特徴としている。
【００１４】
すなわち、切換制御手段は、リモコン等の切換手段により受信するチャンネルが一つのデジタルチャンネルから他のデジタルチャンネルに切り換えられたとき、デジタルチューナからアナログチャーナに切り換えて、一つのデジタルチャンネルと同じ放送内容のアナログチャンネルをアナログチューナで受信し、その受信しているアナログチャンネルのテレビジョン信号を表示部へ出力する。これにより、リモコン等によるチャンネル切り換え操作があっても、表示部には引き続き同じ放送内容のアナログチャンネルのテレビジョン信号が出力され、そのチャンネルの画面が表示されている。すなわち、ユーザは、チャンネルがデジタルチャンネルからアナログチャンネルに切り換わっていることを意識せずに、同じ放送番組を引き続き視聴することが可能となる。このとき、判別手段は、デジタルチューナによる他のデジタルチャンネルのテレビジョン信号の受信状態を確認する。この確認は、同期信号の有無等によって判別することができる。
【００１５】
切換制御手段は、判別手段の判別結果に基づき、デジタルチューナによる他のデジタルチャンネルのテレビジョン信号の受信を確認すると、その時点で、表示部への出力経路を、アナログチューナ側からデジタルチューナ側に切り換える。これにより、見た目には、リモコン切り換え前の一つのデジタルチャンネルからリモコン切り換え後の他のデジタルチャンネルにシームレスに切り換わることになる。従って、ユーザは、視聴画面がスムーズに切り換わることから、従来のような不快感を覚えることがない。
【００１６】
またこのとき、切換制御手段は、表示部への出力経路を、一旦切り換えたアナログチューナから再びデジタルチューナに切り換えるまでの間、当該表示部に切り換え中を示す情報をＯＳＤ表示する。これにより、ユーザは、実際にチャンネルが切り換わるまでに若干の時間がかかるものの、現在切り換え中であることを目視により認識できるので、切り換わるまで安心して視聴することが可能となる。
【００１７】
また、本発明のテレビジョン信号受信装置は、２台のデジタルチューナを有するテレビジョン信号受信装置において、受信するチャンネルをユーザ操作によって切り換える切換手段と、前記切換手段により受信するチューナが一つのデジタルチューナから他のデジタルチューナに切り換えられたとき、切り換え後のデジタルチューナによる受信状態を判別する判別手段と、前記切換手段による受信チャンネルの切り換え操作に応じて、表示部への出力経路を一つのデジタルチューナ側から他のデジタルチューナ側に切り換える切換制御手段とを備えており、前記切換制御手段は、前記切換手段により受信するチャンネルが一つの物理チャンネルの中のサブチャンネルから他の物理チャンネルの中のサブチャンネルに切り換えられたとき、切り換え前の一つのデジタルチューナで受信していたサブチャンネルのテレビジョン信号を引き続き前記表示部へ出力し、前記判別手段により他のデジタルチューナによる前記他の物理チャンネルの中のサブチャンネルのテレビジョン信号の受信を確認すると、前記表示部への出力経路を前記一つのデジタルチューナ側から前記他のデジタルチューナ側に切り換えることを特徴としている。
【００１８】
すなわち、切換制御手段は、リモコン等の切換手段により受信するチャンネルが一つの物理チャンネルの中のサブチャンネルから他の物理チャンネルの中のサブチャンネルに切り換えられたとき、切り換え前の一つのデジタルチューナで受信していたサブチャンネルのテレビジョン信号を引き続き表示部へ出力する。これにより、リモコン等によるチャンネル切り換え操作があっても、表示部には引き続き切り換え前のサブチャンネルのテレビジョン信号が出力され、そのチャンネルの画面が表示されている。このとき、判別手段は、他のデジタルチューナによる他の物理チャンネルの中のサブチャンネルのテレビジョン信号の受信状態を確認する。この確認は、アナログ放送の場合と同様、ＲＦ信号やその中に含まれている同期信号の有無等によって判別することができる。
【００１９】
切換制御手段は、判別手段の判別結果に基づき、他のデジタルチューナによるデジタルチャンネル（サブチャンネル）のテレビジョン信号の受信を確認すると、その時点で、表示部への出力経路を、一つのデジタルチューナ側から他のデジタルチューナ側に切り換える。これにより、リモコン切り換え前の一つの物理チャンネルの中のサブチャンネルから、リモコン切り換え後の他の物理チャンネルの中のサブチャンネルにシームレスに切り換わることになる。従って、ユーザは、視聴画面がスムーズに切り換わることから、従来のような不快感を覚えることがない。
【００２０】
またこのとき、切換制御手段は、表示部への出力経路を一つのデジタルチューナから他のデジタル茶―なに切り換えるまでの間、当該表示部に切り換え中を示す情報をＯＳＤ表示する。これにより、ユーザは、実際にチャンネルが切り換わるまでに若干の時間がかかるものの、現在切り換え中であることを目視により認識できるので、切り換わるまで安心して視聴することが可能となる。
【発明の効果】
【００２１】
本発明のテレビジョン信号受信装置によれば、ユーザ操作によるチャンネル切り換え時に、従来のように黒画面や青画面を表示することなく、切り換え前のチャンネルから切り換え後のチャンネルにシームレスに切り換えることにより、チャンネル切り換え時のタイムラグの体感時間を短くすることができる。すなわち、チャンネルの切り換わりが遅いといった印象を少しでも低減することができる。また、ユーザは、視聴画面がスムーズに切り換わることから、従来のような不快感を覚えることもない。
【００２２】
また、本発明のテレビジョン信号受信装置によれば、表示部への出力経路を、アナログチューナからデジタルチューナに切り換えるまでの間、当該表示部に切り換え中を示す情報をＯＳＤ表示するように構成してので、ユーザは、実際にチャンネルが切り換わるまでに若干の時間がかかるものの、現在切り換え中であることを目視により認識できるので、切り換わるまで安心して視聴することが可能となる。
【発明を実施するための最良の形態】
【００２３】
以下、本発明の実施の形態について、図面を参照して説明する。
【００２４】
図１は、本発明のテレビジョン受信装置の一実施形態の構成を示すブロック図である。
【００２５】
本実施形態のテレビジョン受信装置は、アナログ放送のテレビジョン信号を受信するアナログチューナ１と、デジタル放送のテレビジョン信号を受信するデジタルチューナ２とを備えている。アナログチューナ１の出力は、アナログ復調部３、出力切換部５を介してモニタ２０に接続されており、デジタルチューナ２の出力は、デジタル復調部４、出力切換部５を介してモニタ２０に接続されている。アナログ復調部３は、アナログチューナ１で受信したアナログ放送のテレビジョン信号を復調して出力切換部５に出力し、デジタル復調部４は、デジタルチューナ２で受信したデジタル放送のテレビジョン信号を復調して出力切換部５に出力する。
【００２６】
また、アナログチューナ１とデジタルチューナ２の出力は、受信状態を判別する状態判別部６に接続されており、状態判別部６の出力は、本装置全体の動作制御を行う制御部７に接続されている。
【００２７】
制御部７は、アナログチューナ１、デジタルチューナ２、アナログ復調部３、デジタル復調部４を制御するとともに、出力切換部５の切り換え制御を行う。また、制御部７は、本装置の各種設定を行うためのセットアップ画面や後述する切り換え中を示す情報を表示するためのＯＳＤ回路８を制御する。また、制御部７には、リモコン１８からの操作信号を受信する受信部９が接続されている。
【００２８】
上記構成において、制御部７は、リモコン１８により受信するチャンネルがアナログチャンネルからデジタルチャンネルに切り換えられると、モニタ２０への出力経路をアナログチューナ１側からデジタルチューナ２側に切り換える一方、リモコン１８により受信するチャンネルがデジタルチャンネルからアナログチャンネルに切り換えられると、モニタ２０への出力経路をデジタルチューナ２側からアナログチューナ１側に切り換える切り換え制御を行うようになっているが、本実施形態では、このときの切り換え制御に特徴を有している。以下、リモコン１８の操作によりチャンネルが切り換えられたときの切り換え制御について、具体的に実施例を挙げて説明する。
【実施例１】
【００２９】
本実施例１は、リモコン１８の操作により現在視聴しているチャンネルがアナログチャンネルからデジタルチャンネルに切り換えられた場合の実施例である。以下、図２に示すフローチャートを参照して説明する。
【００３０】
すなわち、制御部７は、出力切換部５をアナログチューナ１側に切り換えた状態で、アナログチャンネルを受信している。この状態において、制御部７は、リモコン１８により視聴しているチャンネルが切り換えられたか否かを常に監視している（ステップＳ１）。そして、チャンネルが切り換えられた場合（ステップＳ１でＹｅｓと判断された場合）には、そのチャンネル切り換えが、アナログチャンネルからデジタルチャンネルへの切り換えか否かを確認する（ステップＳ２）。その結果、例えばアナログチャンネルから別のアナログチャンネルへの切り換えであった場合（ステップＳ２でＮｏと判断された場合）には、従来通りのチャンネル切り換え制御を行う（ステップＳ９）。すなわち、制御部７は、アナログチューナ１を制御して、リモコン１８から入力指示されたアナログチャンネルを受信するように、アナログチューナ１をチューニングする。
【００３１】
一方、リモコン１８により受信するチャンネルがアナログチャンネルからデジタルチャンネルに切り換えられ場合（ステップＳ２でＹｅｓと判断された場合）には、出力切換部５をそのままとして、切り換え前のアナログチャンネルのテレビジョン信号を引き続きモニタ２０へ出力する（ステップＳ３）。これにより、リモコン１８によるチャンネル切り換え操作があっても、モニタ２０には引き続きアナログチャンネルのテレビジョン信号が出力され、そのチャンネルの画面が表示されることになる。
【００３２】
また、制御部７は、ＯＳＤ回路８を制御して、モニタ２０の画面にチャンネルを現在切り換え中であることを示す情報を表示する（ステップＳ４）。この表示例としては、例えば図３に示すように、「チャンネルを切り換え中」といったメッセージを画面下等にＯＳＤ表示する。これにより、ユーザは、実際にチャンネルが切り換わるまでに若干の時間がかかるものの、現在切り換え中であることをメッセージにより確認できるので、切り換わるまで安心して視聴することが可能となる。
【００３３】
このような画面表示と並行して、制御部７は、デジタルチューナ２を制御して、リモコン１８から入力指示されたデジタルチャンネルを受信するように、デジタルチューナ２をチューニングする（ステップＳ５）。このとき、状態判別部６は、デジタルチューナによるデジタルチャンネルのテレビジョン信号の受信状態を確認し（ステップＳ６）、その確認結果を制御部７に出力する。この確認は、アナログ放送の場合と同様、ＲＦ信号やその中に含まれている同期信号の有無等によって判別することができる。
【００３４】
制御部７は、この状態判別部６の判別結果に基づき、デジタルチューナ２によるデジタルチャンネルのテレビジョン信号の受信を確認すると（ステップＳ６でＹｅｓと判断されると）、その時点で出力切換部５を制御し、モニタ２０への出力経路を、アナログチューナ１側からデジタルチューナ２側に切り換える（ステップＳ７）。これにより、モニタ２０の画面は、リモコン切り換え前のアナログチャンネルの映像から、リモコン切り換え後のデジタルチャンネルの映像にシームレスに切り換わることになる。また、これと同時に、表示していたチャンネル切り換え中のメッセージを消去する（ステップＳ８）。
【実施例２】
【００３５】
本実施例２は、リモコン１８の操作により現在視聴しているチャンネルが一つのデジタルチャンネルから他のデジタルチャンネルに切り換えられた場合の実施例である。以下、図４に示すフローチャートを参照して説明する。
【００３６】
すなわち、制御部７は、出力切換部５をデジタルチューナ２側に切り換えた状態で、一つのデジタルチャンネルを受信している。この状態において、制御部７は、リモコン１８により視聴しているチャンネルが切り換えられたか否かを常に監視している（ステップＳ１１）。そして、チャンネルが切り換えられた場合（ステップＳ１１でＹｅｓと判断された場合）には、そのチャンネル切り換えが、視聴中の一つのデジタルチャンネルから他のデジタルチャンネルへの切り換えか否かを確認する（ステップＳ１２）。その結果、デジタルチャンネルからアナログチャンネルへの切り換えであった場合（ステップＳ１２でＮｏと判断された場合）には、従来通りのチャンネル切り換え制御を行う（ステップＳ２０）。すなわち、制御部７は、出力切換部５を制御してデジタルチューナ２側からアナログチューナ１側に出力経路を切り換えるとともに、アナログチューナ１を制御して、リモコン１８から入力指示されたアナログチャンネルを受信するように、アナログチューナ１をチューニングする。
【００３７】
一方、リモコン１８により受信するチャンネルが視聴中の一つのデジタルチャンネルから他のデジタルチャンネルに切り換えられ場合（ステップＳ１２でＹｅｓと判断された場合）には、制御部７は、出力切換部５を制御して、出力経路をデジタルチューナ２側からアナログチャーナ１側に一旦切り換え（ステップＳ１３）、一つのデジタルチャンネルと同じ放送内容のアナログチャンネルをアナログチューナ１で受信して、その受信しているアナログチャンネルのテレビジョン信号をモニタ２０へ出力する（ステップＳ１４）。これにより、リモコン１８によるチャンネル切り換え操作があっても、モニタ２０には引き続き同じ放送内容のアナログチャンネルのテレビジョン信号が出力され、そのチャンネルの画面が表示されることになる。
【００３８】
また、制御部７は、ＯＳＤ回路８を制御して、モニタ２０の画面にチャンネルを現在切り換え中であることを示す情報を表示する（ステップＳ１５）。この表示例としては、例えば図３に示すように、「チャンネルを切り換え中」といったメッセージを画面下等にＯＳＤ表示する。これにより、ユーザは、実際にチャンネルが切り換わるまでに若干の時間がかかるものの、現在切り換え中であることをメッセージにより確認できるので、切り換わるまで安心して視聴することが可能となる。
【００３９】
このような画面表示と並行して、制御部７は、デジタルチューナ２を制御して、リモコン１８から入力指示されたデジタルチャンネルを受信するように、デジタルチューナ２をチューニングする（ステップＳ１６）。このとき、状態判別部６は、デジタルチューナ２によるデジタルチャンネルのテレビジョン信号の受信状態を確認し（ステップＳ１７）、その確認結果を制御部７に出力する。この確認は、アナログ放送の場合と同様、ＲＦ信号やその中に含まれている同期信号の有無等によって判別することができる。
【００４０】
制御部７は、この状態判別部６の判別結果に基づき、デジタルチューナ２によるデジタルチャンネルのテレビジョン信号の受信を確認すると（ステップＳ１７でＹｅｓと判断されると）、その時点で出力切換部５を制御し、モニタ２０への出力経路を、アナログチューナ１側からデジタルチューナ２側に切り換える（ステップＳ１８）。これにより、モニタ２０の画面は、リモコン切り換え前のアナログチャンネルの映像から、リモコン切り換え後のデジタルチャンネルの映像にシームレスに切り換わることになる。また、これと同時に、表示していたチャンネル切り換え中のメッセージを消去する（ステップＳ１９）。
【実施例３】
【００４１】
上記実施例２は、リモコン１８の操作により一つのデジタルチャンネルから他のデジタルチャンネルに切り換えられた場合の実施例であるが、デジタル放送では、一つの物理チャンネルの中に複数のサブチャンネルが含まれている。そのため、同じ物理チャンネルの中の一つのサブチャンネルから他のサブチャンネルに切り換える場合には、チャンネル切り換え自体にそれほど時間はかからない。しかし、一つの物理チャンネルの中のサブチャンネルから、他の物理チャンネルの中のサブチャンネルに切り換わるときには、デジタルチューナ２を制御して、他の物理チャンネルのチューニングを行う必要があり、このチューニングに時間がかかる。そのため、上記実施例２は特に、現在視聴中の一つの物理チャンネルの中のサブチャンネルから、他の物理チャンネルの中のサブチャンネルに切り換えるときにより有効である。
【００４２】
そこで、本実施例３は、一つのデジタルチャンネルから他のデジタルチャンネルへの切り換えが、一つの物理チャンネルの中のサブチャンネルから、他の物理チャンネルの中のサブチャンネルへの切り換えである場合にのみ本発明を適用した実施例である。以下、図５に示すフローチャートを参照して説明する。
【００４３】
すなわち、制御部７は、出力切換部５をデジタルチューナ２側に切り換えた状態で、一つのデジタルチャンネルを受信している。この状態において、制御部７は、リモコン１８により視聴しているチャンネルが切り換えられたか否かを常に監視している（ステップＳ３１）。そして、チャンネルが切り換えられた場合（ステップＳ３１でＹｅｓと判断された場合）には、そのチャンネル切り換えが、視聴中の一つのデジタルチャンネルから他のデジタルチャンネルへの切り換えか否かを確認する（ステップＳ３２）。その結果、デジタルチャンネルからアナログチャンネルへの切り換えであった場合（ステップＳ３２でＮｏと判断された場合）には、従来通りのチャンネル切り換え制御を行う（ステップＳ４１）。すなわち、制御部７は、出力切換部５を制御してデジタルチューナ２側からアナログチューナ１側に出力経路を切り換えるとともに、アナログチューナ１を制御して、リモコン１８から入力指示されたアナログチャンネルを受信するように、アナログチューナ１をチューニングする。
【００４４】
一方、リモコン１８により受信するチャンネルが視聴中の一つのデジタルチャンネルから他のデジタルチャンネルに切り換えられ場合（ステップＳ３２でＹｅｓと判断された場合）には、次に、そのチャンネル切り換えが、一つの物理チャンネルの中のサブチャンネルから、他の物理チャンネルの中のサブチャンネルへの切り換えか否かを確認する（ステップＳ３３）。その結果、同じ物理チャンネルの中の他のサブチャンネルへの切り換えである場合（ステップＳ３３でＮｏと判断された場合）には、従来通りのチャンネル切り換え制御を行う（ステップＳ４１）。すなわち、制御部７は、出力切換部５はそのままとし、デジタルチューナ２を制御して、リモコン１８から入力指示された同じ物理チャンネルの中の他のサブチャンネル（デジタルチャンネル）を受信するように、デジタルチューナ１をチューニングする。
【００４５】
一方、リモコン１８によるチャンネル切り換えが、一つの物理チャンネルの中のサブチャンネルから、他の物理チャンネルの中のサブチャンネルへの切り換えであった場合（ステップＳ３３でＹｅｓと判断された場合）には、制御部７は、出力切換部５を制御して、出力経路をデジタルチューナ２側からアナログチャーナ１側に一旦切り換え（ステップＳ３４）、切り換え前の一つのデジタルチャンネルと同じ放送内容のアナログチャンネルをアナログチューナ１で受信して、その受信しているアナログチャンネルのテレビジョン信号をモニタ２０へ出力する（ステップＳ３５）。これにより、リモコン１８によるチャンネル切り換え操作があっても、モニタ２０には引き続き同じ放送内容のアナログチャンネルのテレビジョン信号が出力され、そのチャンネルの画面が表示されることになる。
【００４６】
また、制御部７は、ＯＳＤ回路８を制御して、モニタ２０の画面にチャンネルを現在切り換え中であることを示す情報を表示する（ステップＳ３６）。この表示例としては、例えば図３に示すように、「チャンネルを切り換え中」といったメッセージを画面下等にＯＳＤ表示する。これにより、ユーザは、実際にチャンネルが切り換わるまでに若干の時間がかかるものの、現在切り換え中であることをメッセージにより確認できるので、切り換わるまで安心して視聴することが可能となる。
【００４７】
このような画面表示と並行して、制御部７は、デジタルチューナ２を制御して、リモコン１８から入力指示されたデジタルチャンネルを受信するように、デジタルチューナ２をチューニングする（ステップＳ３７）。このとき、状態判別部６は、デジタルチューナ２によるデジタルチャンネルのテレビジョン信号の受信状態を確認し（ステップＳ３８）、その確認結果を制御部７に出力する。この確認は、アナログ放送の場合と同様、ＲＦ信号やその中に含まれている同期信号の有無等によって判別することができる。
【００４８】
制御部７は、この状態判別部６の判別結果に基づき、デジタルチューナ２によるデジタルチャンネルのテレビジョン信号の受信を確認すると（ステップＳ３８でＹｅｓと判断されると）、その時点で出力切換部５を制御し、モニタ２０への出力経路を、アナログチューナ１側からデジタルチューナ２側に切り換える（ステップＳ３９）。これにより、モニタ２０の画面は、リモコン切り換え前のアナログチャンネルの映像から、リモコン切り換え後の他のデジタルチャンネルの映像にシームレスに切り換わることになる。また、これと同時に、表示していたチャンネル切り換え中のメッセージを消去する（ステップＳ４０）。
【実施例４】
【００４９】
上記各実施例１〜３は、テレビジョン信号受信装置がアナログチューナ１とデジタルチューナ２を搭載している場合の実施例であるが、テレビジョン信号受信装置が２台のデジタルチューナを搭載している場合にも、本発明を適用することが可能である。従って、本実施例４では、テレビジョン信号受信装置が第１のデジタルチューナ２ａと第２のデジタルチューナ２ｂとを備えている。
【００５０】
図６は、本実施例４に係わるテレビジョン信号受信装置の構成を示すブロック図である。すなわち、図１と比較すると、図１のアナログチューナ１とアナログ復調部３とが第１のデジタルチューナ２ａと第１のデジタル復調部４ａとに置き換わり、図１のデジタルチューナ２とデジタル復調部４とが第２のデジタルチューナ２ｂと第２のデジタル復調部４ａとに置き換わっているだけであり、その他の構成は図１に示すテレビジョン信号受信装置の構成と同じである。以下、図７に示すフローチャートを参照して説明する。
【００５１】
すなわち、制御部７は、出力切換部５を第１のデジタルチューナ２ａ側に切り換えた状態で、一つのデジタルチャンネルを受信している。この状態において、制御部７は、リモコン１８により視聴しているチャンネルが切り換えられたか否かを常に監視している（ステップＳ５１）。そして、チャンネルが切り換えられた場合（ステップＳ５１でＹｅｓと判断された場合）には、そのチャンネル切り換えが、視聴中の一つの物理チャンネルのサブチャンネルから他の物理チャンネルのサブチャンネルへの切り換えか否かを確認する（ステップＳ５２）。その結果、同じ物理チャンネルの中の他のサブチャンネルへの切り換えであった場合（ステップＳ５２でＮｏと判断された場合）には、従来通りのチャンネル切り換え制御を行う（ステップＳ５９）。すなわち、制御部７は、出力切換部５はそのままとし、第１のデジタルチューナ２ａを制御して、リモコン１８から入力指示された同じ物理チャンネルの中の他のサブチャンネルを受信するように、デジタルチューナ１をチューニングする。
【００５２】
一方、リモコン１８によるチャンネル切り換えが、視聴中の一つの物理チャンネルのサブチャンネルから、他の物理チャンネルのサブチャンネルへの切り換えである場合（ステップＳ５２でＹｅｓと判断された場合）には、制御部７は、出力切換部５はそのままとして（すなわち、第１のデジタルチューナ２ａへの接続はそのままとして）、切り換え前のデジタルチャンネルのデジタル信号を引き続きモニタ２０に出力する（ステップＳ５３）。これにより、リモコン１８によるチャンネル切り換え操作があっても、モニタ２０には引き続き同じ放送内容のデジタルチャンネルのテレビジョン信号が出力され、そのチャンネルの画面が表示されることになる。
【００５３】
また、制御部７は、ＯＳＤ回路８を制御して、モニタ２０の画面にチャンネルを現在切り換え中であることを示す情報を表示する（ステップＳ５４）。この表示例としては、例えば図３に示すように、「チャンネルを切り換え中」といったメッセージを画面下等にＯＳＤ表示する。これにより、ユーザは、実際にチャンネルが切り換わるまでに若干の時間がかかるものの、現在切り換え中であることをメッセージにより確認できるので、切り換わるまで安心して視聴することが可能となる。
【００５４】
このような画面表示と並行して、制御部７は、第２のデジタルチューナ２ｂを制御して、リモコン１８から入力指示されたデジタルチャンネルを受信するように、第２のデジタルチューナ２ｂをチューニングする（ステップＳ５５）。このとき、状態判別部６は、第２のデジタルチューナ２ｂによるデジタルチャンネルのテレビジョン信号の受信状態を確認し（ステップＳ５６）、その確認結果を制御部７に出力する。この確認は、アナログ放送の場合と同様、ＲＦ信号やその中に含まれている同期信号の有無等によって判別することができる。
【００５５】
制御部７は、この状態判別部６の判別結果に基づき、第２のデジタルチューナ２ｂによるデジタルチャンネルのテレビジョン信号の受信を確認すると（ステップＳ５６でＹｅｓと判断されると）、その時点で出力切換部５を制御し、モニタ２０への出力経路を、第１のデジタルチューナ２ａ側から第２のデジタルチューナ２ｂ側に切り換える（ステップＳ５７）。これにより、モニタ２０の画面は、リモコン切り換え前の一つのデジタルチャンネルの映像から、リモコン切り換え後の他のデジタルチャンネルの映像にシームレスに切り換わることになる。また、これと同時に、表示していたチャンネル切り換え中のメッセージを消去する（ステップＳ５８）。
【図面の簡単な説明】
【００５６】
【図１】本発明のテレビジョン受信装置の一実施形態の構成を示すブロック図である。
【図２】実施例１の処理動作を示すフローチャートである。
【図３】チャンネル切り換え中の表示例を示す説明図である。
【図４】実施例２の処理動作を示すフローチャートである。
【図５】実施例３の処理動作を示すフローチャートである。
【図６】実施例４に係わるテレビジョン受信装置の構成を示すブロック図である。
【図７】実施例４の処理動作を示すフローチャートである。
【符号の説明】
【００５７】
１  アナログチューナ
２  デジタルチューナ
２ａ  第１のデジタルチューナ
２ｂ  第２のデジタルチューナ
３  アナログ復調部
４  デジタル復調部
４ａ  第１のデジタル復調部
４ｂ  第２のデジタル復調部
５  出力切換部
６  状態判別部
７  制御部
８  ＯＳＤ回路
９  受信部
１８  リモコン
２０モニタ
【図１】
2008199232.tif 000003
【図２】
2008199232.tif 000004
【図３】
2008199232.tif 000005
【図４】
2008199232.tif 000006
【図５】
2008199232.tif 000007
【図６】
2008199232.tif 000008
【図７】
2008199232.tif 000009